(57)【要約】【課題】  連結時に左右方向の位置あわせが容易で、入浴を介護する人の作業の邪魔になりにくい入浴装置のストレッチャー連結装置を提供することにある。【解決手段】  上面視略ハ字状に起立して配設された２枚の案内板を有し、２枚の案内板の間が所定連結位置となる案内連結部を、浴槽の長手方向面に備え、ストレッチャーの長手方向面から突出する突出腕からなる連結装置を、ストレッチャーの長手方向面に備え、連結装置の突出腕が案内板に沿って左右方向に誘導され、案内連結部の所定連結位置に連結されることを特徴とする。【選択図】図７
2010240187.tif 000002
【特許請求の範囲】
【請求項１】
担架ごと入浴可能な入浴装置と、該担架を授受及び移送するストレッチャーとを該浴槽の長手方向面に位置決め連結する入浴装置のストレッチャー連結装置において、
上面視略ハ字状に起立して配設された２枚の案内板を有し、該２枚の案内板の間が所定連結位置となる案内連結部を、該浴槽の長手方向面に備え、
該ストレッチャーの長手方向面から突出する突出腕からなる連結装置を、該ストレッチャーの長手方向面に備え、
該連結装置の突出腕が該案内板に沿って左右方向に誘導され、該案内連結部の該所定連結位置に連結されることを特徴とする入浴装置のストレッチャー連結装置。
【請求項２】
前記連結装置の突出腕の先端に略水平に回動自在に設けられたガイドローラを有し、該ガイドローラが前記案内連結部の案内板に沿って左右方向に誘導され、該案内連結部の所定連結位置に連結されることを特徴とする請求項１記載の入浴装置のストレッチャー連結装置。
【請求項３】
前記案内連結部が、前記案内板を、前記連結装置方向に付勢する付勢手段を有し、
該案内板に該連結装置の突出腕又はガイドローラが当接することにより、該案内板が上面視略ハ字状に傾動し、
該連結装置が該案内連結部の所定連結位置に連結された状態で、該案内連結部の案内板が、該連結装置の突出腕又はガイドローラの当接から解放されて上面視略ハ字状から、略一直線上に復帰することを特徴とする請求項１又は請求項２記載の入浴装置のストレッチャー連結装置。
【請求項４】
前記案内連結部と前記連結装置とが、前記浴槽の長手方向に沿って所定間隔を開けて２ヶ所にそれぞれ設けられていることを特徴とする請求項１〜請求項３のいずれかに記載の入浴装置のストレッチャー連結装置。
【請求項５】
前記案内連結部に突起状の係止部を備え、
前記連結装置の突出腕にフックを備え、
該連結装置が該案内連結部に連結された状態で、該フックが該係止部に係合し固定されることを特徴とする請求項１〜請求項４のいずれかに記載の入浴装置のストレッチャー連結装置。
【発明の詳細な説明】
【技術分野】
【０００１】
本発明は、担架ごと入浴可能な入浴装置で、担架が載置されたストレッチャーと浴槽とを連結させる入浴装置のストレッチャー連結装置に関する。
【背景技術】
【０００２】
従来より、身体的にハンディがあり自力で入浴できない人のために、ストレッチャー上に設けられた担架に乗ったまま担架ごと入浴可能な入浴装置がある。従来の入浴装置としては、例えば、特許文献１に示すようなものがある。特許文献１の入浴装置は、医療用浴槽と担架搬送車とからなり、医療用浴槽と担架搬送車とが連結される構造を有している。
【０００３】
特許文献１の入浴装置は、浴槽の外側部に浴槽と平行な外側面を有する水平な受枠を設け、受枠は中央に凹部を有し両端側が低くなる案内傾斜面を有している。また、浴槽と連結する搬送車（ストレッチャー）は、脚枠の中心に両端下面に突子を有して車体の横方向に張出した係止杆の中心部を上下方向揺動自在に枢着している。
【先行技術文献】
【特許文献】
【０００４】
【特許文献１】実開昭６０−４７５１７号公報
【発明の概要】
【発明が解決しようとする課題】
【０００５】
しかしながら、従来の入浴装置のストレッチャー連結構造では、浴槽の長手方向の位置を定めにくく、操作者が手探り的にストレッチャーを動かして連結させることから、連結作業が繁雑であった。また、連結に係る受枠や係止杆が浴槽やストレッチャーの長手方向の中心になることから、入浴を介護する人の足に当たりやすく、作業の妨げになっていた。
【０００６】
本発明は、このような事情に鑑みてなされたもので、連結時に左右方向の位置あわせが容易で、入浴を介護する人の作業の邪魔になりにくい入浴装置のストレッチャー連結装置を提供することにある。
【課題を解決するための手段】
【０００７】
請求項１記載の入浴装置のストレッチャー連結装置は、上面視略ハ字状に起立して配設された２枚の案内板を有し、２枚の案内板の間が所定連結位置となる案内連結部を、浴槽の長手方向面に備え、ストレッチャーの長手方向面から突出する突出腕からなる連結装置を、ストレッチャーの長手方向面に備え、連結装置の突出腕が案内板に沿って左右方向に誘導され、案内連結部の所定連結位置に連結されることを特徴とする。
【０００８】
請求項２記載の入浴装置のストレッチャー連結装置は、連結装置の突出腕の先端に略水平に回動自在に設けられたガイドローラを有し、ガイドローラが案内連結部の案内板に沿って左右方向に誘導され、案内連結部の所定連結位置に連結されることを特徴とする。
【０００９】
請求項３記載の入浴装置のストレッチャー連結装置は、案内連結部が、案内板を連結装置方向に付勢する付勢手段を有し、案内板に連結装置の突出腕又はガイドローラが当接することにより、案内板が上面視略ハ字状に傾動し、連結装置が案内連結部の所定連結位置に連結された状態で、案内連結部の案内板が、連結装置の突出腕又はガイドローラの当接から解放されて上面視略ハ字状から、略一直線上に復帰することを特徴とする。
【００１０】
請求項４記載の入浴装置のストレッチャー連結装置は、案内連結部と連結装置とが、浴槽の長手方向に沿って２ヶ所にそれぞれ設けられていることを特徴とする。
【００１１】
請求項５記載の入浴装置のストレッチャー連結装置は、案内連結部に突起状の係止部を備え、連結装置の突出腕にフックを備え、連結装置が案内連結部に連結された状態で、フックが係止部に係合し固定されることを特徴とする。
【発明の効果】
【００１２】
請求項１の発明によれば、連結装置が、突出腕が案内板に沿って左右方向に誘導され、案内連結部の所定連結位置に連結されることから、連結時に左右方向の位置あわせを容易に行うことができる。
【００１３】
請求項２の発明によれば、ガイドローラが案内連結部の案内板に沿って左右方向に誘導され、案内連結部の所定連結位置に連結されることから、回動自在なガイドローラのスムーズな動きにより、滑らかに左右の位置あわせを行うことができる。
【００１４】
請求項３の発明によれば、連結装置が案内連結部の所定連結位置に連結された状態で、案内連結部の案内板が、連結装置の突出腕又はガイドローラの当接から解放されて上面視略ハ字状から略一直線上に復帰することから、一直線上に復帰した状態で、案内板の端部が突出腕又はガイドローラの摺動を制限し、連結時の浴槽とストレッチャーとのずれを防止することができる。
【００１５】
請求項４の発明によれば、案内連結部と連結装置とが、浴槽の長手方向に沿って所定間隔を開けて２ヶ所にそれぞれ設けられていることから、案内連結部と連結装置とが１つの場合に比べ、浴槽とストレッチャーとの平行度を維持しやすく、また所定間隔をあけていることから、案内連結部や連結装置が、浴槽やストレッチャーの長手方向の中央で作業をする人の邪魔になりにくい。
【００１６】
請求項５の発明によれば、連結装置が案内連結部に連結された状態で、フックが係止部に係合し固定されることから、不意な連結はずれを防止することができる。
【図面の簡単な説明】
【００１７】
【図１】本発明に係る入浴装置の一例を示す上面図である。
【図２】同入浴装置の側面図である。
【図３】同入浴装置の案内連結部を示す正面図である。
【図４】同入浴装置の連結前の様子を側面から示す説明図である。
【図５】同入浴装置の連結前の様子を上面から示す説明図である。
【図６】同入浴装置の連結途中の様子を側面から示す説明図である。
【図７】同入浴装置の連結途中の様子を上面から示す説明図である。
【図８】同入浴装置の連結の様子を側面から示す説明図である。
【図９】同入浴装置の連結の様子を上面から示す説明図である。
【発明を実施するための形態】
【００１８】
以下、本発明の形態について図面を参照しながら具体的に説明する。本発明の形態における入浴装置のストレッチャー連結装置は、担架ごと入浴可能な入浴装置で、担架が載置されたストレッチャーと浴槽とを連結させるものである。図１は、本発明に係る入浴装置の一例を示す上面図である。図２は、同入浴装置の側面図である。図３は、同入浴装置の案内連結部を示す正面図である。図４は、同入浴装置の連結前の様子を側面から示す説明図である。図５は、同入浴装置の連結前の様子を上面から示す説明図である。図６は、同入浴装置の連結途中の様子を側面から示す説明図である。図７は、同入浴装置の連結途中の様子を上面から示す説明図である。図８は、同入浴装置の連結の様子を側面から示す説明図である。図９は、同入浴装置の連結の様子を上面から示す説明図である。
【００１９】
図において、入浴装置１は、浴槽４及びストレッチャー１０とで構成されている。浴槽４は、後述する担架４０を授受する担架受台８を備え、担架受台８の長手方向の両脇には担架４０を授受及び移送するための２本のレール６が互いに平行して設けられている。また、ストレッチャー１０は、台車１８ａが四方に設けられた基台１８と、基台１８の上方に突出する支柱１４と、支柱１４の上面に設けられたフレーム１６等から構成され、フレーム１６の上に、担架４０が保持されている。フレーム１６の上面には、ストレッチャー１０の長手方向に直角に、互いに平行する２本のレール１２が設けられている。そして、担架４０は、このレール１２に摺動自在に保持されている。尚、支柱１４がジャッキ上に稼働することで、担架４０を昇降可能である。尚、浴槽４のレール６とストレッチャー１０のレール１２は、同じ巾で、同じ高さに位置するように駆動可能となっている。
【００２０】
浴槽４の外側の長手方向面の下部には、左右に２ヶ所、案内連結部３０が設けられている。案内連結部３０は、浴槽４から略Ｌ字状に突出する取付板３２ａ、取付板３２ａの外側に下向きに開口するカバー状の側板３２ｃ、側板３２ｃの上面に設けられた上板３２ｂ及び側板３２ｃの内部に上面視略ハ字状に起立して配設された２枚の案内板３６，３８等を備えている。案内板３６，３８は、後述するガイドローラ２４の直径分の間隔を開けて設けられ、この間隔の位置が、後述する連結位置ｐとなっている。また、案内板３６，３８は、それぞれの外側端の上下方向を回転軸として内側端が浴槽４側に傾動するようになっており、それぞれの案内板３６，３８は、スプリング３６ａ，３８ａで、浴槽４の外側方向に付勢されている。すなわち、案内板３６，３８は、上面視略ハ字状に傾動するように起立して配設されている。また、上板３２ｂの上面には、浴槽４の長手方向に伸びる突起状の係止部３４が設けられている。
【００２１】
ストレッチャー１０の基台１８の長手方向面には、左右に２ヶ所、連結装置２０が設けられている。連結装置２０は、基台１８から突出する突出腕２２、突出腕２２の先端に略水平に回動自在に設けられたガイドローラ２４、突出腕２２の上方に設けられ上下に傾動するように設けられたフック２６等を備えている。フック２６は、ストレッチャー１０の外側が上下するように軸支され、外側部分と案内連結部３０の係止部３４とが嵌合可能な形状となっている。また、ストレッチャー１０の基台の連結装置２０が設けられているのとは反対の長手方向面には、フック２６と対向する位置に、足踏み用のペダル２８ａが設けられており、フック２６がリンク状のフック駆動機構２８で連結され、ペダル２８ａを踏んだり離したりすることで、フック２６が傾動する構造となっている。
【００２２】
尚、案内連結部３０と連結装置２０との位置は、浴槽４の長手方向面にストレッチャー１０を横付けした状態で、それぞれが相対する位置で、相対した状態で浴槽４とストレッチャー１０のレール６とレール１２とが一直線上に連接する位置である。そして、上述の連結位置ｐとは、浴槽４とストレッチャー１０のレール６とレール１２とが一直線上に連接するために、案内連結部３０と連結装置２０とが連結される位置である。
【００２３】
次に、本実施例の入浴装置１の動作を説明する。まず、操作者は、担架４０に入浴者を横たわらせた状態で、ストレッチャー１０を、浴槽４に横付けするように移動させる。この時、ストレッチャー１０の担架４０の高さと、浴槽４の担架受台８の高さとを、同じ高さにしておく。そして、ストレッチャー１０をゆっくりと浴槽４の長手方向面に近づけていく（図４，図５）。そして、ストレッチャー１０の連結装置２０のガイドローラ２４が、浴槽４の案内連結部３０の案内板３６，３８に当接する位置に、ストレッチャー１０をおおよその位置で移動させる。
【００２４】
最初は、おおよその位置であることから、図７に示すように、ガイドローラ２４が案内板３６，３８の一方（図７では、案内板３８）に当接した状態である。ガイドローラ２４が当接した案内板３８は、スプリング３８ａの付勢力に抗して、浴槽４側に傾動する（図７）。そして、操作者が、さらにストレッチャー１０を浴槽４に近づけようとすると、ガイドローラ２４が回転しつつ、案内板３８の傾斜に沿って連結位置ｐに導かれていく。ガイドローラ２４が案内板３８に当接した状態で、図６に示すように、フック２６も案内連結部３０の係止部３４に乗り上げた状態となる。
【００２５】
そして、操作者がさらにストレッチャー１０を、浴槽４方向に押し込むと、図９に示すように、ガイドローラ２４が、案内板３８の傾斜に沿って連結位置ｐに移動して、浴槽４（取付板３２ａ）に突き当たって止まる。ガイドローラ２４が、連結位置ｐに移動することで、ガイドローラ２４が案内板３８に当接しなくなり、案内板３８は解放され、スプリング３８ａの付勢力で、もとの位置に戻ることになる。そして、ガイドローラ２４が、連結位置ｐで浴槽４（取付板３２ａ）に突き当たって止まると、フック２６が係止部３４を乗り越えて下方に傾動することで、図８に示すように、フック２６が係止部３４に係合する。これにより、ストレッチャー１０が、浴槽４に連結された状態になる。尚、案内連結部３０及び連結装置２０は、左右２ヶ所設けられており、そのそれぞれで上述の連結動作がなされることになる。また、ガイドローラ２４が、案内板３６に当接した場合でも、案内板３８と左右対称なだけで、動作は同じである。
【００２６】
ストレッチャー１０が浴槽４に連結されると、浴槽４の担架受台８のレール６と、ストレッチャー１０のレール１２とが一直線状となり、ストレッチャー１０の担架４０をレール１２に沿って浴槽４側に摺動させると、担架４０が担架受台８のレール６に受け渡され、担架４０が担架受台８の上に移送される。そして、担架４０が担架受台８に完全に乗った状態で、入浴者が浴槽４内で入浴できるようになる。
【００２７】
そして、入浴を終えた後、担架受台８の担架４０をレール６に沿ってストレッチャー１０側に摺動させると、担架４０がストレッチャー１０のレール１２に受け渡され、担架４０がストレッチャー１０の上に移送される。そして、操作者がストレッチャー１０のペダル２８ａを踏むことで、フック２６が上昇するように傾動して係止部３４との係合が解除され、操作者がストレッチャー１０を浴槽４から分離できるようになる。
【００２８】
以上のような本実施例の入浴装置１によれば、連結装置２０の突出腕２２に設けられたガイドローラ２４が案内板３６，３８に沿って左右方向に誘導され、案内連結部３０の連結位置ｐに連結されることから、連結時に左右方向の位置あわせを容易に行うことができる。尚、本実施の形態では、ガイドローラ２４を突出腕２２に設けているが、ガイドローラ２４を設けず、突出腕２２を案内板３６，３８に当接させて誘導することも可能である。尚、ガイドローラ２４が案内連結部３０の案内板３６，３８に沿って左右方向に誘導されることで、回動自在なガイドローラ２４のスムーズな動きにより、滑らかに左右の位置あわせを行うことができる。
【００２９】
また、連結装置２０が案内連結部３０の連結位置ｐに連結された状態で、案内連結部３０の案内板３６，３８が、連結装置２０の突出腕２２又はガイドローラ２４の当接から解放されて上面視略ハ字状から略一直線上に復帰することから、一直線上に復帰した状態で、案内板３６，３８の端部が突出腕２２又はガイドローラ２４の摺動を制限し、連結時の浴槽４とストレッチャー１０とのずれを防止することができる。
【００３０】
さらに、案内連結部３０と連結装置２０とが、浴槽４の長手方向に沿って所定間隔を開けて２ヶ所にそれぞれ設けられていることから、案内連結部３０と連結装置２０とが１つの場合に比べ、浴槽４とストレッチャー１０との平行度を維持しやすく、また所定間隔をあけていることから、案内連結部３０や連結装置２０が、浴槽４やストレッチャー１０の長手方向の中央で作業をする人の邪魔になりにくい。尚、作業性をより向上させる場合、２ヶ所の案内連結部３０と連結装置２０の間隔は、可能な限り広げるようにするのがよい。
【００３１】
さらに、連結装置２０が案内連結部３０に連結された状態で、フック２６が係止部３４に係合し固定されることから、不意な連結はずれを防止することができる。
【産業上の利用可能性】
【００３２】
以上のように、連結時に左右方向の位置あわせが容易で、入浴を介護する人の作業の邪魔になりにくい入浴装置のストレッチャー連結装置を提供することができる。
【符号の説明】
【００３３】
１・・・・・入浴装置
４・・・・・浴槽
６・・・・・レール
８・・・・・担架受台
１０・・・・ストレッチャー
１２・・・・レール
１４・・・・支柱
１６・・・・フレーム
１８・・・・基台
１８ａ・・・台車
２０・・・・連結装置
２２・・・・突出腕
２４・・・・ガイドローラ
２６・・・・フック
２８・・・・フック駆動機構
２８ａ・・・ペダル
３０・・・・案内連結部
３２ａ・・・取付板
３２ｂ・・・上板
３２ｃ・・・側板
３４・・・・係止部
３６・・・・案内板
３６ａ・・・スプリング
３８・・・・案内板
３８ａ・・・スプリング
４０・・・・担架
【図１】
2010240187.tif 000003
【図２】
2010240187.tif 000004
【図３】
2010240187.tif 000005
【図４】
2010240187.tif 000006
【図５】
2010240187.tif 000007
【図６】
2010240187.tif 000008
【図７】
2010240187.tif 000009
【図８】
2010240187.tif 000010
【図９】
2010240187.tif 000011